(57)【特許請求の範囲】
【請求項１】
ストリップドアーシート懸吊装置であって、該ストリップドアーシート懸吊装置は、ストリップドアーシート懸吊保持部材と、下方部にストリップドアーシートの上端部を固持し上方部に前記ストリップドアーシート懸吊保持部材へ懸吊係合される係合手段を有しているストリップドアーシート懸吊係合部材と、により形成されており、
ストリップドアーシート懸吊保持部材が、
該ストリップドアーシート懸吊保持部材を所定場所に固定するための固定部分と、ストリップドアーシート懸吊係合部材を受入れこれを懸吊保持するための複数の案内溝を有する概ね弧状断面を具備している案内部分と、を有しており、
該案内溝のそれぞれが、広幅受入開口と、該広幅受入開口からその広幅受入開口の幅方向に直交する方向へ伸びている狭幅案内開口と、から成る概ねＴ字形状溝を提供しており、
ストリップドアーシート懸吊係合部材が、
前記案内溝の広幅受入開口へ受入られかつ狭幅案内開口に沿って移動可能な概ねＴ字形状を有する係合手段を備えた第１板部材と、該第１板部材との間にてストリップドアシートの上端部を挟持固着する第２板部材と、により構成されており、
前記ストリップドアーシート懸吊保持部材に形成されている前記案内溝の少なくとも幾つかが、該案内溝からストリップドアシート懸吊係合部材の係合手段が容易に抜けることを防止するための懸け止め手段を備えており、
該懸け止め手段が、前記Ｔ字形状溝の内方へ指向されている止め金から構成されており、
該止め金が、広幅受入開口の下辺に設けられた突起を内側に曲げることにより形成されていることを特徴とするストリップドアーシート懸吊装置。
【発明の詳細な説明】
【０００１】
【産業上の利用分野】
本発明は、ストリップドアーシート懸吊装置に関する。
本発明は、多数の細長いストリップドアーシートを吊り下げるためのストリップドアーシート懸吊装置に関し、その懸吊装置は、ストリップドアーシート懸吊保持部材とストリップドアーシートの上端部を固持しているストリップドアーシート懸吊係合部材とからなり、必要に応じて、ストリップドアーシート懸吊係合部材をストリップドアーシート懸吊保持部材に取り付けてり、又前者を後者から外すことが出来、不用意に前者が後者から外れることがないことを特徴としている。
【０００２】
【発明が解決しようとする課題】
ストリップドアーシートは、荷物を持った人や荷物運搬者等でも、ドアー全体を開放することなく、必要な部分のストリップドアーシートを押しのけてそのまま通ることができ点で便利である。ストリップドアーシートは、プラスチックから構成されているので、擦り切れたり、劣化などのため、何年に１度は、交換しなければならない。そのため、ストリップドアーシートの上端部を固持しているストリップドアーシート懸吊係合部材は、ストリップドアーシート懸吊保持部材から取り外せるように構成されている。しかしながら、従来のストリップドアーシート懸吊装置は、ストリップドアーシートの上端部を固持しているストリップドアーシート懸吊係合部材が、不用意にストリップドアーシート懸吊保持部材から外れることがあった。
【０００３】
【課題を解決するための手段】
本発明は、ストリップドアーシートの上端部を固持しているストリップドアーシート懸吊係合部材が、不用意にストリップドアーシート懸吊保持部材から外れることを防止したストリップドアーシート懸吊装置に関する。
【０００４】
本発明は、  防虫防塵等のためのストリップドアーシート懸吊装置であって、ストリップドアシート取付入口部の横梁等の横行部分へ概ね水平方向に配置され該ドアシートを所定位置へ懸吊保持しているストリップドアーシート懸吊保持部材と、下方部にストリップドアーシートの上端部を固持し上方部に前記ストリップドアーシート懸吊保持部材へ懸吊係合される係合手段を有しているストリップドアーシート懸吊係合部材と、により形成されており、
ストリップドアーシート懸吊保持部材が、
該ストリップドアーシート懸吊保持部材を所定の場所に固着するための固定部分と、ストリップドアーシート懸吊係合部材を受入れこれを懸吊保持するための複数の案内溝を有する概ね弧状断面を具備している案内部分と、を有しており、該案内溝のそれぞれが、前記横行部分へ概ね平行する方向へ伸びている広幅受入開口と、該広幅受入開口のほぼ中央部から該広幅受入開口へ直交する方向へ対して前記案内部分に沿って伸びている狭幅案内開口と、から成る概ねＴ字形状溝を提供しており、
ストリップドアーシート懸吊係合部材が、
前記案内溝の広幅受入開口へ受入られかつ狭幅案内開口に沿って移動可能な概ねＴ字形状を有する係合手段を備えた第１板部材と、該第１板部材との間にてストリップドアシートの上端部を挟持固着する第２板部材と、により構成されており、
前記ストリップドアーシート懸吊保持部材に形成されている前記案内溝の少なくとも幾つかが、該案内溝からストリップドアシート懸吊係合部材の係合手段が容易に抜けることを防止するための懸け止め手段を備えていることを特徴とするストリップドアーシート懸吊装置に関する。
【０００５】
本発明において、懸け止め手段が、前記Ｔ字形状溝の内方へ指向されている止め金から構成されていることが好ましい。
本発明を図面によって説明する。図１は、ストリップドアーシート懸吊保持部材Ａの斜視図であり、図２は、ストリップドアーシート懸吊保持部材Ａの底面図である。図３は、ストリップドアーシート懸吊保持部材Ａの側面図である。図４は、ストリップドアーシート懸吊係合部材Ｂの斜視図である。図５は、両者を係合した状態の斜面図である。本発明のストリップドアーシート懸吊装置は、ストリップドアシート取付入口部の横梁等の横行部分へ概ね水平方向に配置され該ドアシートを所定位置へ懸吊保持しているストリップドアーシート懸吊保持部材Ａと、下方部にストリップドアーシートの上端部を固持し上方部に前記ストリップドアーシート懸吊保持部材へ懸吊係合される係合手段を有しているストリップドアーシート懸吊係合部材Ｂと、により構成されている。
【０００６】
ストリップドアーシート懸吊保持部材Ａが、
ストリップドアシート取付入口部に固着するための固定部分１、ストリップドアーシート懸吊係合部材Ｂを受入れこれを懸吊保持するための複数の案内溝３を有する概ね弧状断面を具備している案内部分５と、を有しており、
該案内溝３のそれぞれが、前記横行部分へ概ね平行する方向へ伸びている広幅受入開口７と、該広幅受入開口のほぼ中央部から該広幅受入開口７へ直交する方向へ対して前記案内部分に沿って伸びている狭幅案内開口９と、から成る概ねＴ字形状溝を有している。
【０００７】
ストリップドアーシート懸吊係合部材Ｂが、
前記ストリップドアーシート懸吊保持部材Ａの案内溝３の広幅受入開口へ受入られかつ狭幅案内開口に沿って移動可能な概ねＴ字形状を有する係合手段１３を備えた第１板部材１５と、該第１板部材との間にてストリップドアシート１８の上端部を挟持固着する第２板部材１７と、により構成されており、
前記ストリップドアーシート懸吊保持部材Ａに形成されている前記案内溝３の少なくとも幾つかが、該案内溝３からストリップドアシート懸吊係合部材の係合手段が容易に抜けることを防止するための懸け止め手段１９を備えている。
【０００８】
本発明のストリップドアーシート懸吊装置は、鋼鉄製が好ましいが、プラスチック製であっても良い。ストリップドアーシート懸吊保持部材Ａのストリップドアシート取付入口部への取り付けは、一般に鋲等で行う。
【０００９】
ストリップドアーシート懸吊保持部材Ｂの第１板部材１５と第２板部材１７とは、その間にストリップドアーシート１８を挟んでボルト等で固定する。
懸け止め手段１９は、すべての案内溝３に設けることは必要ではない。懸け止め手段１９は、すべての案内溝３に設けると、ストリップドアーシート懸吊係合部材Ｂが、ストリップドアーシート懸吊保持部材Ａから係合したり外したりするのが幾分困難になる。しかし、懸け止め手段１９を設けたために、荷物運搬車が通る度にストリップドアーシート懸吊保持部材Ｂがストリップドアーシート懸吊保持部材Ａから外れることがない。懸け止め手段１９は、図面に示すように、広幅受入開口７の下辺に突起を設け、その突起を内側に曲げることにより形成できる。
【００１０】
図５は、ストリップドアーシート懸吊係合部材Ｂをストリップドアーシート懸吊保持部材Ａに係合した状態の斜視図である。
【００１１】
【作用】
本発明では、ストリップドアーシート懸吊保持部材Ａに形成されている前記案内溝３の少なくとも幾つかが、該案内溝３からストリップドアシート懸吊係合部材の係合手段が容易に抜けることを防止するための懸け止め手段１９を設けたために、荷物運搬車が通る度にストリップドアーシート懸吊保持部材Ｂがストリップドアーシート懸吊保持部材Ａから外れることがない。
【図面の簡単な説明】
【図１】ストリップドアーシート懸吊保持部材の斜視図。
【図２】ストリップドアーシート懸吊保持部材の底面図。
【図３】ストリップドアーシート懸吊保持部材の側面図。
【図４】ストリップドアーシート懸吊係合部材の斜視図。
【図５】ストリップドアーシート懸吊係合部材Ａをストリップドアーシート懸吊保持部材Ｂに係合した状態の斜視図。
【符号の説明】
Ａ      ストリップドアーシート懸吊保持部材
Ｂ      ストリップドアーシート懸吊係合部材
１      固定部分
３      案内溝
５      案内部分
７      広幅受入開口
９      狭幅案内開口
１３    係合手段
１５    第１板部材
１７    第２板部材
１８    ストリップドアーシート
１９    懸け止め手段
【図１】
0003710723.tif 000002
【図２】
0003710723.tif 000003
【図３】
0003710723.tif 000004
【図４】
0003710723.tif 000005
【図５】
0003710723.tif 000006